(57)【要約】【課題】従来の浴室換気乾燥暖房機１では、電装部分９を交換する場合に電装基板８に直接触らなければいけなく、静電気等のストレスに弱い電装基板８を破壊する恐れがあるという課題があり、電装部分９を交換する場合に直接、電装基板８に触れることなく交換することができる浴室換気乾燥暖房機１を提供することを目的としている。【解決手段】浴室換気乾燥暖房乾燥機１内の構成部品と電装基板８を接続する接続手段１０の中間に配置された防水中継手段１１を抜き差しすることにより、電装部分９を交換する場合に直接、電装基板８に触れることなく交換することができる。【選択図】図１
2008267762.tif 000002
【特許請求の範囲】
【請求項１】
直接電装基板に触れることなく電装部分を交換するようにしたことを特徴とした浴室換気乾燥暖房機。
【請求項２】
接続を中継する防水型の中継手段を備え、電装部分と各構成部品を前記防水型の中継手段により接続することにより、電装部分を交換する場合に電装基板に直接触れることなく交換することを特徴とした浴室換気乾燥暖房機。
【請求項３】
接続を中継する非防水型の中継手段を備え、電装部分と各構成部品を前記非防水型の中継手段により接続し、その中継部分を浴室の湿度空間から切り離すことにより、電装部分を交換する場合に電装基板に直接触れることなく交換することができることを特徴とした浴室換気乾燥暖房機。
【請求項４】
各構成部品の接続部分を統合することを特徴とした請求項１から３のいずれかに記載の浴室換気乾燥暖房機。
【請求項５】
各構成部品の接続部分を別々に分けることにより各々の構成部品ごとに交換することを特徴とした請求項１から３のいずれかに記載の浴室換気乾燥暖房機。
【発明の詳細な説明】
【技術分野】
【０００１】
本発明は、浴室換気乾燥暖房機において電装部分を交換する場合に直接電装基板に触れることなく交換することができる製品構成に関するものである。
【背景技術】
【０００２】
近年浴室換気乾燥暖房機において、高付加価値・能力向上の為電装部分が複雑化し、電装部分の交換は非常に困難であるという課題がある。また、電装基板は静電気等のストレスに弱く直接触れる場合は細心の注意が必要であるが、交換する現場ではその注意が徹底されていない課題がある。従来は交換する現場において静電気等のストレスによる電装部分の故障が多発している。
【特許文献１】特開２００４−３０１４４７号公報
【発明の開示】
【発明が解決しようとする課題】
【０００３】
このような従来の浴室換気乾燥暖房機では、電装部分を交換する場合に電装基板に直接触らなければいけなく、静電気等のストレスに弱い電装基板を破壊する恐れがあるという課題がある。本発明は、このような従来の課題を解決するものであり、電装部分を交換する場合に直接電装基板に触れることなく交換することができる浴室換気乾燥暖房機を提供することを目的としている。
【０００４】
また、電装部分を交換する場合に電装基板に直接触らなければいけなく、静電気等のストレスに弱い電装基板を破壊する恐れがあるという課題がある。本発明は、このような従来の課題を解決するものであり、電装部分と各構成部品を防水型の中継手段により接続することにより、電装部分を交換する場合に直接電装基板に触れることなく交換することができる浴室換気乾燥暖房機を提供することを目的としている。
【０００５】
また、防水型の中継手段は高価であるという課題がある。本発明は、このような課題を解決するものであり、防水型の中継手段を非防水型の中継手段にし、その中継部分を浴室の湿度空間から切り離すことにより、より安価な中継手段にて構成することができる浴室換気乾燥暖房機を提供することを目的としている。
【０００６】
また、電装基板と各構成部品を接続する接続部分の数が多く接続箇所が多数あるという課題がある。本発明は、このような課題を解決するものであり、各構成部品の接続部分を統合することにより、接続箇所を減らすことができる浴室換気乾燥暖房機を提供することを目的としている。
【０００７】
また、電装基板と各構成部品を接続する接続部分を統合すると各構成部品を交換する場合に統合した全ての構成部品を交換しなければいけなくなり、構成部品を交換することが困難になるという課題がある。本発明は、このような課題を解決するものであり、各構成部品の接続部分を別々に分けることにより、各構成部品を交換する場合に各々の構成部品ごとに交換できるようにすることができる浴室換気乾燥暖房機を提供することを目的としている。
【課題を解決するための手段】
【０００８】
本発明の請求項１記載の浴室換気乾燥暖房機は、上記目標を達成するため直接電装基板に触れることなく電装部分を交換するようにしたことを特徴とする。そして、本発明によれば電装部分を交換する場合に直接電装基板に触れることなく交換することができる浴室換気乾燥暖房機が得られる。
【０００９】
また請求項２記載の発明は、接続を中継する防水型の中継手段を備え、電装部分と各構成部品を前記防水型の中継手段により接続することにより、電装部分を交換する場合に電装基板に直接触れることなく交換することを特徴とする。そして、本発明によれば電装部分と各構成部品を防水型の中継手段により接続することにより、電装部分を交換する場合に直接電装基板に触れることなく交換することができる浴室換気乾燥暖房機が得られる。
【００１０】
また請求項３記載の発明は、接続を中継する非防水型の中継手段を備え、電装部分と各構成部品を前記非防水型の中継手段により接続し、その中継部分を浴室の湿度空間から切り離すことにより、電装部分を交換する場合に電装基板に直接触れることなく交換することができることを特徴とする。そして、本発明によれば防水型の中継手段を非防水型の中継手段にし、その中継部分を浴室の湿度空間から切り離すことにより、より安価な中継手段にて構成することができる浴室換気乾燥暖房機が得られる。
【００１１】
また請求項４記載の発明は、各構成部品の接続部分を統合することにより接続箇所を減らすことを特徴とする。そして、本発明によれば各構成部品の接続部分を統合することにより、接続箇所を減らすことができる浴室換気乾燥暖房機が得られる。
【００１２】
また請求項５記載の発明は、各構成部品の接続部分を別々に分けることにより各々の構成部品ごとに交換できることを特徴とする。そして、本発明によれば各構成部品の接続部分を別々に分けることにより、各構成部品を交換する場合に各々の構成部品ごとに交換できるようにすることができる浴室換気乾燥暖房機が得られる。
【発明の効果】
【００１３】
本発明によれば直接電装基板に触れることなく電装部分を交換するようにしたことを特徴とした浴室換気乾燥暖房機を備えることにより、電装部分を交換する場合に直接電装基板に触れることなく交換でき、静電気等のストレスに弱い電装基板を破壊する恐れがなくなるという効果のある浴室換気乾燥暖房機を提供できる。
【００１４】
また、接続を中継する防水型の中継手段を備え、電装部分と各構成部品を前記防水型の中継手段により接続することにより、電装部分を交換する場合に電装基板に直接触れることなく交換することを特徴とした浴室換気乾燥暖房機を備えることにより、電装部分を交換する場合に直接電装基板に触れることなく交換でき、静電気等のストレスに弱い電装基板を破壊する恐れがなくなるという効果のある浴室換気乾燥暖房機を提供できる。
【００１５】
また、接続を中継する非防水型の中継手段を備え、電装部分と各構成部品を前記非防水型の中継手段により接続し、その中継部分を浴室の湿度空間から切り離すことにより、電装部分を交換する場合に電装基板に直接触れることなく交換することができることを特徴とした浴室換気乾燥暖房機を備えることにより、電装部分を交換する場合に直接電装基板に触れることなく交換でき、より安価で静電気等のストレスに弱い電装基板を破壊する恐れがなくなるという効果のある浴室換気乾燥暖房機を提供できる。
【００１６】
また、各構成部品の接続部分を統合することにより接続箇所を減らすことを特徴とした浴室換気乾燥暖房機を備えることにより、接続箇所を減らすことができ、電装部分の交換する場合の作業を楽にするという効果のある浴室換気乾燥暖房機を提供できる。
【００１７】
また、各構成部品の接続部分を別々に分けることにより各々の構成部品ごとに交換できることを特徴とした浴室換気乾燥暖房機を備えることにより、各構成部品を各々の構成部品ごとに交換でき、各構成部品を交換する場合の作業を楽にするという効果のある浴室換気乾燥暖房機を提供できる。
【発明を実施するための最良の形態】
【００１８】
本発明の請求項１記載の発明は、直接電装基板に触れることなく電装部分を交換するようにしたことを特徴とした浴室換気乾燥暖房機であり、電装部分を交換する場合に直接電装基板に触れることなく交換できるという作用を有する。
【００１９】
また、接続を中継する防水型の中継手段を備え、電装部分と各構成部品を前記防水型の中継手段により接続することにより、電装部分を交換する場合に電装基板に直接触れることなく交換することを特徴とした浴室換気乾燥暖房機であり、電装部分を交換する場合に直接電装基板に触れることなく交換できるという作用を有する。
【００２０】
また、接続を中継する非防水型の中継手段を備え、電装部分と各構成部品を前記非防水型の中継手段により接続し、その中継部分を浴室の湿度空間から切り離すことにより、電装部分を交換する場合に電装基板に直接触れることなく交換することができることを特徴とした浴室換気乾燥暖房機であり、電装部分を交換する場合に直接電装基板に触れることなく交換できるという作用を有する。
【００２１】
また、各構成部品の接続部分を統合することにより接続箇所を減らすことを特徴とした請求項１から３のいずれかに記載の浴室換気乾燥暖房機であり、接続箇所を減らすことができるという作用を有する。
【００２２】
また、各構成部品の接続部分を別々に分けることにより各々の構成部品ごとに交換できることを特徴とした請求項１から３のいずれかに記載の浴室換気乾燥暖房機であり、各構成部品を各々の構成部品ごとに交換できるという作用を有する。
【００２３】
以下、本発明の実施の形態について図面を参照しながら説明する。
【００２４】
（実施の形態１）
以下、本発明の実施の形態１について図１を参照しながら説明する。
【００２５】
図１は本発明に関わる浴室換気乾燥暖房機である。図１に示すように、浴室換気乾燥暖房機１の内部構成は、浴室内の空気を循環させる循環手段２例えばファンモータを動作させることにより、吸い込み口３より浴室内の空気を吸い込み、吹き出し口４より浴室内に空気を吹き出す。循環手段２を動作させた状態で加熱手段５例えばヒータを動作させると浴室内を温める暖房運転となる。また、換気手段６例えばファンモータを動作させると吸い込み口３より浴室内の空気を吸い込み、排気口７より外部へ排気することができる換気運転となる。循環手段２と加熱手段５と換気手段６を同時に動作させることにより、浴室内を暖めながら浴室内空気を排気することにより、浴室内の乾燥運転となる。
【００２６】
また、循環手段２と加熱手段５と換気手段６を制御する電装基板８と電装基板８を囲っており且つ浴室換気乾燥暖房乾燥機１から取り外し可能な構成されている電装部分９と電装基板８と循環手段２及び加熱手段５及び換気手段６を接続する接続手段１０例えばリード線と接続手段１０の中間に配置された防水中継手段１１例えば防水タイプの中継コネクタにより構成される。
【００２７】
上記構成により、防水中継手段１１を抜き差しすることにより、電装部分９が浴室換気乾燥暖房機１から電装基板８を直接触らずに交換することができる浴室換気乾燥暖房機１を提供できる。
【００２８】
（実施の形態２）
以下、本発明の実施の形態２について図２を参照しながら説明する。実施の形態１と同一部分は同一番号を附し、詳細な説明を省略する。
【００２９】
図２に示すように、接続手段１０の中間に配置された非防水中継手段１２例えば一般の中継コネクタと非防水中継手段１２を浴室の湿度空間から切り離す耐湿手段１３例えば樹脂ケースの接合部をパッキンなどで機密性を高めたものが設けられた構成とする。
【００３０】
上記構成により、高価な防水中継手段１１を使用しなくても安価な非防水中継手段１２を用いて、電装部分９が浴室換気乾燥暖房機１から電装基板８を直接触らずに交換することができる浴室換気乾燥暖房機１を提供できる。
【００３１】
（実施の形態３）
以下、本発明の実施の形態３について図３を参照しながら説明する。実施の形態１と同一部分は同一番号を附し、詳細な説明を省略する。
【００３２】
図３に示すように、循環手段２及び加熱手段５及び換気手段６から出てくる接続手段１０を統合型中継手段１４例えば循環手段２及び加熱手段５及び換気手段６から出てくる接続線の本数を一括で接続できる極数の多い中継コネクタを介し、電装基板８に接続する構成とする。
【００３３】
上記構成によれば、電装部分９を交換するために１箇所の統合型中継手段１４を抜き差しすることで実現でき、電装部分の交換を楽にすることができる浴室換気乾燥暖房機１を提供できる。
【００３４】
（実施の形態４）
以下、本発明の実施の形態４について図４を参照しながら説明する。実施の形態１と同一部分は同一番号を附し、詳細な説明を省略する。
【００３５】
図４に示すように、循環手段２及び加熱手段５及び換気手段６から出てくる接続手段１０を別々の防水中継手段１１で中継された構成とする。
【００３６】
上記構成によれば、循環手段２及び加熱手段５及び換気手段６別々に交換する必要がある場合、それぞれに対応した防水中継手段１１を抜き差しすることで実現でき、循環手段２及び加熱手段５及び換気手段６の別々の交換を楽にすることができる浴室換気乾燥暖房機１を提供できる。
【図面の簡単な説明】
【００３７】
【図１】本発明の実施の形態１の浴室換気乾燥暖房機の構成を示す図
【図２】本発明の実施の形態２の浴室換気乾燥暖房機の構成を示す図
【図３】本発明の実施の形態３の浴室換気乾燥暖房機の構成を示す図
【図４】本発明の実施の形態４の浴室換気乾燥暖房機の構成を示す図
【符号の説明】
【００３８】
１    浴室換気乾燥暖房機
２    循環手段
３    吸い込み口
４    吹き出し口
５    加熱手段
６    換気手段
７    排気口
８    電装基板
９    電装部分
１０  接続手段
１１  防水中継手段
１２  非防水中継手段
１３  耐湿手段
１４  統合型中継手段
【図１】
2008267762.tif 000003
【図２】
2008267762.tif 000004
【図３】
2008267762.tif 000005
【図４】
2008267762.tif 000006